【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
第１光源から出射される波長λ１の第１光束を用いて厚さｔ１の保護層を有する第１光情報記録媒体の情報記録面に対して集光スポット形成を行い、第２光源から出射される波長λ２（λ１＜λ２）の第２光束を用いて厚さｔ２（ｔ１≦ｔ２）の保護層を有する第２光情報記録媒体の情報記録面に対して集光スポット形成を行い、第３光源から出射される波長λ３（１．９×λ１＜λ３＜２．１×λ１）の第３光束を用いて厚さｔ３（ｔ２＜ｔ３）の保護層を有する第３光情報記録媒体の情報記録面に対して集光スポット形成を行う光ピックアップ装置用の対物光学素子において、
前記対物光学素子は、単玉レンズからなり、前記第１光束、第２光束及び第３光束の前記対物光学素子への入射光束倍率をそれぞれｍ１、ｍ２、ｍ３とした場合に、ｍ１、ｍ２、ｍ３は互いに略等しく、
前記対物光学素子の光学機能面は、光軸を含む中央領域と、該中央領域を囲む周辺領域との少なくとも２つの領域を有し、
前記中央領域は前記第１光情報記録媒体、前記第２光情報記録媒体及び前記第３光情報記録媒体の情報記録面の全てに対して集光スポット形成に用いられるとともに、前記周辺領域は前記第１光情報記録媒体、前記第２光情報記録媒体及び前記第３光情報記録媒体の情報記録面のうち、前記第１光情報記録媒体及び前記第２光情報記録媒体の情報記録面に対してのみ集光スポット形成に用いられ、
前記中央領域と前記周辺領域は、段差で区切られた輪帯状の構造を有し、
前記中央領域及び／又は前記周辺領域における前記輪帯構造の隣り合うもの同士の段差は、（４）、（５）、（６）式を満たすｄ１（μｍ），ｄ２（μｍ），ｄ３（μｍ）のうち少なくとも２種類の光軸方向長さを有することを特徴とする対物光学素子。
１．６ ＜ ｜ｄ１［１−ｎｃｏｓ｛θ−ａｒｃｓｉｎ（ｓｉｎθ／ｎ）｝］／λ１｜ ＜ ２．４ （４）
２．６ ＜ ｜ｄ２［１−ｎｃｏｓ｛θ−ａｒｃｓｉｎ（ｓｉｎθ／ｎ）｝］／λ１｜ ＜ ３．４ （５）
４．６ ＜ ｜ｄ３［１−ｎｃｏｓ｛θ−ａｒｃｓｉｎ（ｓｉｎθ／ｎ）｝］／λ１｜ ＜ ５．４ （６）
但し
ｎ：前記対物レンズの波長λ１（μm）の光束についての屈折率
θ：前記対物レンズの光学面における母非球面の面角度
【請求項２】
前記輪帯構造の段差は、（４’）、（５’）、（６’）式を満たすｄ１，ｄ２，ｄ３のうち少なくとも２種類の光軸方向長さを有することを特徴とする請求項１に記載の対物光学素子。
１．８ ＜ ｜ｄ１［１−ｎｃｏｓ｛θ−ａｒｃｓｉｎ（ｓｉｎθ／ｎ）｝］／λ１｜ ＜ ２．２ （４’）
２．９ ＜ ｜ｄ２［１−ｎｃｏｓ｛θ−ａｒｃｓｉｎ（ｓｉｎθ／ｎ）｝］／λ１｜ ＜ ３．３ （５’）
４．８ ＜ ｜ｄ３［１−ｎｃｏｓ｛θ−ａｒｃｓｉｎ（ｓｉｎθ／ｎ）｝］／λ１｜ ＜ ５．２ （６’）
【請求項３】
第１光源から出射される波長λ１の第１光束を用いて厚さｔ１の保護層を有する第１光情報記録媒体の情報記録面に対して集光スポット形成を行い、第２光源から出射される波長λ２（λ１＜λ２）の第２光束を用いて厚さｔ２（ｔ１≦ｔ２）の保護層を有する第２光情報記録媒体の情報記録面に対して集光スポット形成を行い、第３光源から出射される波長λ３（１．９×λ１＜λ３＜２．１×λ１）の第３光束を用いて厚さｔ３（ｔ２＜ｔ３）の保護層を有する第３光情報記録媒体の情報記録面に対して集光スポット形成を行う光ピックアップ装置用の対物光学素子において、
前記対物光学素子は、単玉レンズからなり、前記第１光束、第２光束及び第３光束の前記対物光学素子への入射光束倍率をそれぞれｍ１、ｍ２、ｍ３とした場合に、ｍ１、ｍ２、ｍ３は互いに略等しく、
前記対物光学素子の光学機能面は、光軸を含む中央領域と、該中央領域を囲む周辺領域との少なくとも２つの領域を有し、
前記中央領域は前記第１光情報記録媒体、前記第２光情報記録媒体及び前記第３光情報記録媒体の情報記録面の全てに対して集光スポット形成に用いられるとともに、前記周辺領域は前記第１光情報記録媒体、前記第２光情報記録媒体及び前記第３光情報記録媒体の情報記録面のうち、前記第１光情報記録媒体及び前記第２光情報記録媒体の情報記録面に対してのみ集光スポット形成に用いられ、
前記中央領域と前記周辺領域には、段差で区切られた輪帯状の構造を有し、前記中央領域及び／又は前記周辺領域における前記輪帯構造の隣り合うもの同士の段差は、（７）、（８）、（９）式を満たすｄ１（μｍ），ｄ２（μｍ），ｄ３（μｍ）のうち少なくとも２種類の光軸方向長さを有することを特徴とする対物光学素子。
０．７ ＜ ｜ｄ１［１−ｎｃｏｓ｛θ−ａｒｃｓｉｎ（ｓｉｎθ／ｎ）｝］／λ１｜ ＜ １．５ （７）
１．６ ＜ ｜ｄ２［１−ｎｃｏｓ｛θ−ａｒｃｓｉｎ（ｓｉｎθ／ｎ）｝］／λ１｜ ＜ ２．４ （８）
２．６ ＜ ｜ｄ３［１−ｎｃｏｓ｛θ−ａｒｃｓｉｎ（ｓｉｎθ／ｎ）｝］／λ１｜ ＜ ３．４ （９）
但し
ｎ：前記対物レンズの波長λ１の光束についての屈折率
θ：前記対物レンズの光学面における母非球面の面角度
【請求項４】
前記輪帯構造の段差は、（７’）、（８’）、（９’）式を満たすｄ１，ｄ２，ｄ３のうち少なくとも２種類の光軸方向長さを有することを特徴とする請求項３に記載の対物光学素子。
０．９ ＜ ｜ｄ１［１−ｎｃｏｓ｛θ−ａｒｃｓｉｎ（ｓｉｎθ／ｎ）｝］／λ１｜ ＜ １．３ （７’）
１．８ ＜ ｜ｄ２［１−ｎｃｏｓ｛θ−ａｒｃｓｉｎ（ｓｉｎθ／ｎ）｝］／λ１｜ ＜ ２．２ （８’）
２．８ ＜ ｜ｄ３［１−ｎｃｏｓ｛θ−ａｒｃｓｉｎ（ｓｉｎθ／ｎ）｝］／λ１｜ ＜ ３．２ （９’）
【請求項５】
前記輪帯構造が設けられている光学面は光源側であることを特徴とする請求項１〜４のいずれかに記載の対物光学素子。
【請求項６】
前記対物光学素子は前記周辺領域を囲む最外領域を有し、前記最外領域は前記第２光情報記録媒体の情報記録面に対してのみ集光スポット形成に用いられることを特徴とする請求項１〜５のいずれかに記載の対物光学素子。
【請求項７】
前記中央領域は前記第１光情報記録媒体、前記第２光情報記録媒体及び前記第３光情報記録媒体の情報記録面の全てに対して集光スポット形成に用いられるとともに、前記周辺領域は前記第１光情報記録媒体、前記第２光情報記録媒体及び前記第３光情報記録媒体の情報記録面のうち、前記第１光情報記録媒体及び前記第２光情報記録媒体の情報記録面に対してのみ集光スポット形成に用いられ、
前記中央領域には、段差で区切られた輪帯状の構造であって、前記第１光束が通過したときにａ次回折光の光強度が他の次数の回折光の光強度よりも高くなり、前記第２光束が通過したときにｂ次回折光の光強度が他の次数の回折光の光強度よりも高くなり、前記第３光束が通過したときにｃ次回折光の光強度が他の次数の回折光の光強度よりも高くなるような第１中央基礎構造と、段差で区切られた輪帯状の構造であって、前記第１光束が通過したときにｘ次回折光の光強度が他の次数の回折光の光強度よりも高くなり、前記第２光束が通過したときにｙ次回折光の光強度が他の次数の回折光の光強度よりも高くなり、前記第３光束が通過したときにｚ次回折光の光強度が他の次数の回折光の光強度よりも高くなるような第２中央基礎構造とが重ね合わされて形成され、
前記第１中央基礎構造と、前記第２中央基礎構造と、前記第１周辺基礎構造と、前記第２周辺基礎構造は、鋸歯状回折構造であることを特徴とする請求項１〜６のいずれかに記載の対物光学素子。
【請求項８】
前記対物光学素子はガラスを素材としていることを特徴とする請求項１〜７のいずれかに記載の対物光学素子。
【請求項９】
前記対物光学素子はプラスチックを素材としていることを特徴とする請求項１〜７のいずれかに記載の対物光学素子。
【請求項１０】
請求項１〜９のいずれかに記載の対物光学素子を用いることを特徴とする光ピックアップ装置。
【手続補正２】
【補正対象書類名】明細書
【補正対象項目名】０００９
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
請求項１に記載の対物光学素子は、第１光源から出射される波長λ１の第１光束を用いて厚さｔ１の保護層を有する第１光情報記録媒体の情報記録面に対して集光スポット形成を行い、第２光源から出射される波長λ２（λ１＜λ２）の第２光束を用いて厚さｔ２（ｔ１≦ｔ２）の保護層を有する第２光情報記録媒体の情報記録面に対して集光スポット形成を行い、第３光源から出射される波長λ３（１．９×λ１＜λ３＜２．１×λ１）の第３光束を用いて厚さｔ３（ｔ２＜ｔ３）の保護層を有する第３光情報記録媒体の情報記録面に対して集光スポット形成を行う光ピックアップ装置用の対物光学素子において、
前記対物光学素子は、単玉レンズからなり、前記第１光束、第２光束及び第３光束の前記対物光学素子への入射光束倍率をそれぞれｍ１、ｍ２、ｍ３とした場合に、ｍ１、ｍ２、ｍ３は互いに略等しく、
前記対物光学素子の光学機能面は、光軸を含む中央領域と、該中央領域を囲む周辺領域との少なくとも２つの領域を有し、
前記中央領域は前記第１光情報記録媒体、前記第２光情報記録媒体及び前記第３光情報記録媒体の情報記録面の全てに対して集光スポット形成に用いられるとともに、前記周辺領域は前記第１光情報記録媒体、前記第２光情報記録媒体及び前記第３光情報記録媒体の情報記録面のうち、前記第１光情報記録媒体及び前記第２光情報記録媒体の情報記録面に対してのみ集光スポット形成に用いられ、
前記中央領域と前記周辺領域は、段差で区切られた輪帯状の構造を有し、
前記中央領域及び／又は前記周辺領域における前記輪帯構造の隣り合うもの同士の段差は、（４）、（５）、（６）式を満たすｄ１（μｍ），ｄ２（μｍ），ｄ３（μｍ）のうち少なくとも２種類の光軸方向長さを有することを特徴とする。
１．６ ＜ ｜ｄ１［１−ｎｃｏｓ｛θ−ａｒｃｓｉｎ（ｓｉｎθ／ｎ）｝］／λ１｜ ＜ ２．４ （４）
２．６ ＜ ｜ｄ２［１−ｎｃｏｓ｛θ−ａｒｃｓｉｎ（ｓｉｎθ／ｎ）｝］／λ１｜ ＜ ３．４ （５）
４．６ ＜ ｜ｄ３［１−ｎｃｏｓ｛θ−ａｒｃｓｉｎ（ｓｉｎθ／ｎ）｝］／λ１｜ ＜ ５．４ （６）
但し
ｎ：前記対物レンズの波長λ１（μm）の光束についての屈折率
θ：前記対物レンズの光学面における母非球面の面角度
【手続補正８】
【補正対象書類名】明細書
【補正対象項目名】００１６
【補正方法】変更
【補正の内容】
【００１６】
請求項２に記載の対物光学素子は、請求項１に記載の発明において、前記輪帯構造の段差は、（４’）、（５’）、（６’）式を満たすｄ１，ｄ２，ｄ３のうち少なくとも２種類の光軸方向長さを有することを特徴とする。
１．８ ＜ ｜ｄ１［１−ｎｃｏｓ｛θ−ａｒｃｓｉｎ（ｓｉｎθ／ｎ）｝］／λ１｜ ＜ ２．２ （４’）
２．９ ＜ ｜ｄ２［１−ｎｃｏｓ｛θ−ａｒｃｓｉｎ（ｓｉｎθ／ｎ）｝］／λ１｜ ＜ ３．３ （５’）
４．８ ＜ ｜ｄ３［１−ｎｃｏｓ｛θ−ａｒｃｓｉｎ（ｓｉｎθ／ｎ）｝］／λ１｜ ＜ ５．２ （６’）
【手続補正９】
【補正対象書類名】明細書
【補正対象項目名】００１７
【補正方法】変更
【補正の内容】
【００１７】
請求項３に記載の光ピックアップ装置は、第１光源から出射される波長λ１の第１光束を用いて厚さｔ１の保護層を有する第１光情報記録媒体の情報記録面に対して集光スポット形成を行い、第２光源から出射される波長λ２（λ１＜λ２）の第２光束を用いて厚さｔ２（ｔ１≦ｔ２）の保護層を有する第２光情報記録媒体の情報記録面に対して集光スポット形成を行い、第３光源から出射される波長λ３（１．９×λ１＜λ３＜２．１×λ１）の第３光束を用いて厚さｔ３（ｔ２＜ｔ３）の保護層を有する第３光情報記録媒体の情報記録面に対して集光スポット形成を行う光ピックアップ装置用の対物光学素子において、
前記対物光学素子は、単玉レンズからなり、前記第１光束、第２光束及び第３光束の前記対物光学素子への入射光束倍率をそれぞれｍ１、ｍ２、ｍ３とした場合に、ｍ１、ｍ２、ｍ３は互いに略等しく、
前記対物光学素子の光学機能面は、光軸を含む中央領域と、該中央領域を囲む周辺領域との少なくとも２つの領域を有し、
前記中央領域は前記第１光情報記録媒体、前記第２光情報記録媒体及び前記第３光情報記録媒体の情報記録面の全てに対して集光スポット形成に用いられるとともに、前記周辺領域は前記第１光情報記録媒体、前記第２光情報記録媒体及び前記第３光情報記録媒体の情報記録面のうち、前記第１光情報記録媒体及び前記第２光情報記録媒体の情報記録面に対してのみ集光スポット形成に用いられ、
前記中央領域と前記周辺領域には、段差で区切られた輪帯状の構造を有し、前記中央領域及び／又は前記周辺領域における前記輪帯構造の隣り合うもの同士の段差は、（７）、（８）、（９）式を満たすｄ１（μｍ），ｄ２（μｍ），ｄ３（μｍ）のうち少なくとも２種類の光軸方向長さを有することを特徴とする。
０．７ ＜ ｜ｄ１［１−ｎｃｏｓ｛θ−ａｒｃｓｉｎ（ｓｉｎθ／ｎ）｝］／λ１｜ ＜ １．５ （７）
１．６ ＜ ｜ｄ２［１−ｎｃｏｓ｛θ−ａｒｃｓｉｎ（ｓｉｎθ／ｎ）｝］／λ１｜ ＜ ２．４ （８）
２．６ ＜ ｜ｄ３［１−ｎｃｏｓ｛θ−ａｒｃｓｉｎ（ｓｉｎθ／ｎ）｝］／λ１｜ ＜ ３．４ （９）
但し
ｎ：前記対物レンズの波長λ１の光束についての屈折率
θ：前記対物レンズの光学面における母非球面の面角度
【手続補正１０】
【補正対象書類名】明細書
【補正対象項目名】００１８
【補正方法】変更
【補正の内容】
【００１８】
請求項４に記載の対物光学素子は、請求項３に記載の発明において、前記輪帯構造の段差は、（７’）、（８’）、（９’）式を満たすｄ１，ｄ２，ｄ３のうち少なくとも２種類の光軸方向長さを有することを特徴とする。
０．９ ＜ ｜ｄ１［１−ｎｃｏｓ｛θ−ａｒｃｓｉｎ（ｓｉｎθ／ｎ）｝］／λ１｜ ＜ １．３ （７’）
１．８ ＜ ｜ｄ２［１−ｎｃｏｓ｛θ−ａｒｃｓｉｎ（ｓｉｎθ／ｎ）｝］／λ１｜ ＜ ２．２ （８’）
２．８ ＜ ｜ｄ３［１−ｎｃｏｓ｛θ−ａｒｃｓｉｎ（ｓｉｎθ／ｎ）｝］／λ１｜ ＜ ３．２ （９’）
【手続補正１１】
【補正対象書類名】明細書
【補正対象項目名】００１９
【補正方法】変更
【補正の内容】
【００１９】
請求項５に記載の対物光学素子は、請求項１〜４のいずれかに記載の発明において、前記輪帯構造が設けられている光学面は光源側であることを特徴とする。
【手続補正１２】
【補正対象書類名】明細書
【補正対象項目名】００２０
【補正方法】変更
【補正の内容】
【００２０】
請求項６に記載の対物光学素子は、請求項１〜５のいずれかに記載の発明において、前記対物光学素子は前記周辺領域を囲む最外領域を有し、前記最外領域は前記第２光情報記録媒体の情報記録面に対してのみ集光スポット形成に用いられることを特徴とする。
【手続補正１３】
【補正対象書類名】明細書
【補正対象項目名】００２１
【補正方法】変更
【補正の内容】
【００２１】
請求項７に記載の対物光学素子は、請求項１〜６のいずれかに記載の発明において、前記中央領域は前記第１光情報記録媒体、前記第２光情報記録媒体及び前記第３光情報記録媒体の情報記録面の全てに対して集光スポット形成に用いられるとともに、前記周辺領域は前記第１光情報記録媒体、前記第２光情報記録媒体及び前記第３光情報記録媒体の情報記録面のうち、前記第１光情報記録媒体及び前記第２光情報記録媒体の情報記録面に対してのみ集光スポット形成に用いられ、
前記中央領域には、段差で区切られた輪帯状の構造であって、前記第１光束が通過したときにａ次回折光の光強度が他の次数の回折光の光強度よりも高くなり、前記第２光束が通過したときにｂ次回折光の光強度が他の次数の回折光の光強度よりも高くなり、前記第３光束が通過したときにｃ次回折光の光強度が他の次数の回折光の光強度よりも高くなるような第１中央基礎構造と、段差で区切られた輪帯状の構造であって、前記第１光束が通過したときにｘ次回折光の光強度が他の次数の回折光の光強度よりも高くなり、前記第２光束が通過したときにｙ次回折光の光強度が他の次数の回折光の光強度よりも高くなり、前記第３光束が通過したときにｚ次回折光の光強度が他の次数の回折光の光強度よりも高くなるような第２中央基礎構造とが重ね合わされて形成され、
前記第１中央基礎構造と、前記第２中央基礎構造と、前記第１周辺基礎構造と、前記第２周辺基礎構造は、鋸歯状回折構造であることを特徴とする。
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
請求項８に記載の対物光学素子は、請求項１〜７のいずれかに記載の発明において、前記対物光学素子はガラスを素材としていることを特徴とする。
【手続補正１６】
【補正対象書類名】明細書
【補正対象項目名】００２４
【補正方法】変更
【補正の内容】
【００２４】
請求項９に記載の対物光学素子は、請求項１〜７のいずれかに記載の発明において、前記対物光学素子はプラスチックを素材としていることを特徴とする。
【手続補正１７】
【補正対象書類名】明細書
【補正対象項目名】００２５
【補正方法】変更
【補正の内容】
【００２５】
請求項１０に記載の光ピックアップ装置は、請求項１〜９のいずれかに記載の対物光学素子を用いることを特徴とする。